(57)【要約】    【課題】  初心者等が早期にスキー技術を習得できるスキー練習用具を提供すること。    【解決手段】  スキー練習用具の滑走制動部は、制動操作レバー９と、これとワイヤー５により連結され滑走方向に対して抵抗を生ぜしめる制動ユニット１とを備えてなり、制動ユニット１は、スキー板１０に固定される台座２と、台２座に枢設され先端部に雪面を噛むためのブレーキ板４を備えたリンク３を備える。リンク３は、スキー板１０後端部後方雪面に対してブレーキ板４を振り下ろし可能に台座２に設けられている構成を有する。【選択図】  図１
2006255073.tif 000002
【特許請求の範囲】
【請求項１】
スキーの練習用としてスキー板に装着して用いるためのスキー練習用具であって、該スキー練習用具は、
（Ａ）これを用いてスキーの練習をする練習者の身体を直接支持するための身体支持構造部と、
（Ｂ）該身体支持構造部上から作動可能で、左右各スキー板の後端部において装着され、ターンの練習用途ならびに滑走制動用途に用いることのできる滑走制動部とを備えてなり、
該身体支持構造部は、
（Ａ−１）既存のスキー板、または本用具に合わせて用いることのできるスキー板部に連結するためのスキー板連結部と、
（Ａ−２）該スキー板連結部から上方に設けられ、後記水平構造部を下方から支持する縦立構造部と、
（Ａ−３）該縦立構造部に支持されて設けられ、その少なくとも一部がグリップ部として該練習者により把握されることのできる水平構造部とを備え、
該滑走制動部は、
（Ｂ−１）該練習者により操作され得るよう該グリップ部に近接して設けられた制動操作レバーと、
（Ｂ−２）該制動操作レバーと後記ワイヤーにより連結され、滑走方向に対して抵抗を生ぜしめる制動ユニットと、
（Ｂ−３）後記リンクに取り付けられ、弛張させることによって該リンクを回動させるためのワイヤーとを備え、さらに該制動ユニットは、
（Ｂ−２１）前記スキー板に固定される台座と、
（Ｂ−２２）該台座に枢設され、先端部に雪面を噛むブレーキ板を備えたリンクとを備えるとともに、
（Ｂ−２３）該リンクは、該スキー板後端部後方雪面に対して該ブレーキ板を振り下ろし可能に該台座に設けられている、
ことを特徴とする、スキー練習用具。
【請求項２】
請求項１に記載のスキー練習用具であって、さらに、
（Ｃ）前記縦立構造部と前記水平構造部との間にこれらに連結して設けられ、前記スキー板または補助スキー板部の側方傾斜状態を調整するための側方傾斜調整部を備え、該側方傾斜調整部は、
（Ｃ−１）該水平構造部の水平維持を可能としつつ該縦立構造部を側方に傾斜させることのできるよう、該縦立構造部と該水平構造部の間のいずこかに、長手方向に伸縮可能な弾性部位が一または複数設けられている、
ことを特徴とする、スキー練習用具。
【請求項３】
請求項１または２に記載のスキー練習用具であって、
（Ｂ−２４）前記リンクは、前記ワイヤーが弛緩した状態では前記ブレーキ板が前記スキー板の下面より上方に位置するように、前記台座に、バネその他によって弾性的に支持されていることを特徴とする、スキー練習用具。
【請求項４】
請求項１ないし３のいずれかに記載のスキー練習用具であって、該スキー練習用具にはさらに、（Ｄ）前記スキー板部が備えられ、該スキー板部は、
（Ｄ−１）前記身体支持構造部のスキー板連結部に対して連結可能であることを特徴とする、スキー練習用具。
【発明の詳細な説明】
【技術分野】
【０００１】
本発明はスキー練習用具に係り、特に、初心者や身体障害者であっても早期にスキー技術を習得することのできる、殊にターン技術を容易かつ早期に習得することのできる、スキー練習用具に関する。
【背景技術】
【０００２】
初心者をスキーに慣れさせるためには、転倒を繰り返し、時間と労力をかけた練習を受け入れるか、あるいはまた、平坦な雪上をスキーを履かせて歩かせたり、ストック推進滑走またはストックや指導者の手で体を支えて滑走させる等の相当の努力が必要である。これは、教える指導者側、教わる生徒側双方にとって、体力と気力を要するものである。しかしながら、スキーでの転倒、事故・怪我の発生を防ぐためには、初期の練習は重要であり、スキー指導においてはそこに相当の時間が掛かるものであった。
【０００３】
そこで本願発明者は先に、独自にスキー練習用具を発明し、特許出願した（後掲特許文献１）。その概要を述べれば、該スキー練習用具は、身体支持構造部と、これに付設された滑走制動部とを備え、身体支持構造部は補助スキー板部等に連結するスキー板連結部と、水平構造部を下方から支持する縦立構造部と、一部がグリップ部となっている水平構造部とを備え、滑走制動部は制動操作部と、これに連結され、滑走方向に対して抵抗を生ぜしめるブレーキ部とを備えた構成を基礎とするものである。
【０００４】
さらに、スキー板部の側方傾斜状態を調整できるよう、縦立構造部と水平構造部との間を連結して設けられる側方傾斜調整部を備え、これには弾性部位を設けることによって、水平構造部の水平維持を可能としつつ縦立構造部を側方に傾斜させることを可能とした。つまり練習者は、体の重心を左右の一側方に掛ければそれによって側方傾斜調整部が機能して本練習用具を装着したスキー板も雪面に対して傾斜するため、容易にターンの練習とすることができる。したがって該発明によれば、初心者であってもターン技術等を容易かつ早期に習得できる、というものである。
【０００５】
ここで滑走制動部は、具体的な例としては、スキー板両外側方向において雪面にブレーキ部を作動可能なように構成されており、制動操作部における操作により、減速、停止といった滑走の制動が適宜になされるものである。
【０００６】
【特許文献１】特願２００４−０８３４３号「スキー練習用具」
【発明の開示】
【発明が解決しようとする課題】
【０００７】
しかしながら、初心者や高齢者あるいは身体障害者は、体を左右に傾けること自体に恐怖を覚えたり、慣れにくい場合もあり、そのような場合において、より採用しやすい動作、簡単な操作によって、ターンの練習ひいてはスキー滑走の練習を自然に行うことができれば便利である。
【０００８】
また、滑走中の急激な減速や停止が必要な場合、たとえば前方への転倒等のない、より安全な状態でかかる制動を行うことができれば、スキー練習の安全性、安心感を一層高めることができる。
【０００９】
本発明が解決しようとする課題は、先の特許出願による提案においてなお存在するニーズに対応し、より採用しやすい動作、簡単な操作によって、ターンの練習を一層容易かつ効果的に行うことができ、また、より安全な状態で滑走の制動を行うことのできる、スキー練習用具を提供することである。
【課題を解決するための手段】
【００１０】
本願発明者は上記課題について検討した結果、滑走制動部の作用部分の位置をスキー板の後端部にすることによって上記課題の解決が可能であることを見出し、本発明に至った。すなわち、上記課題を解決するための手段として本願で特許請求される発明もしくは少なくとも開示される発明は、以下のとおりである。
【００１１】
（１）  スキーの練習用としてスキー板に装着して用いるためのスキー練習用具であって、該スキー練習用具は、
（Ａ）これを用いてスキーの練習をする練習者の身体を直接支持するための身体支持構造部と、
（Ｂ）該身体支持構造部上から作動可能で、左右各スキー板の後端部において装着され、ターンの練習用途ならびに滑走制動用途に用いることのできる滑走制動部とを備えてなり、
該身体支持構造部は、
（Ａ−１）既存のスキー板、または本用具に合わせて用いることのできるスキー板部に連結するためのスキー板連結部と、
（Ａ−２）該スキー板連結部から上方に設けられ、後記水平構造部を下方から支持する縦立構造部と、
（Ａ−３）該縦立構造部に支持されて設けられ、その少なくとも一部がグリップ部として該練習者により把握されることのできる水平構造部とを備え、
該滑走制動部は、
（Ｂ−１）該練習者により操作され得るよう該グリップ部に近接して設けられた制動操作レバーと、
（Ｂ−２）該制動操作レバーと後記ワイヤーにより連結され、滑走方向に対して抵抗を生ぜしめる制動ユニットと、
（Ｂ−３）後記リンクに取り付けられ、弛張させることによって該リンクを回動させるためのワイヤーとを備え、さらに該制動ユニットは、
（Ｂ−２１）前記スキー板に固定される台座と、
（Ｂ−２２）該台座に枢設され、先端部に雪面を噛むブレーキ板を備えたリンクとを備えるとともに、
（Ｂ−２３）該リンクは、該スキー板後端部後方雪面に対して該ブレーキ板を振り下ろし可能に該台座に設けられている、
ことを特徴とする、スキー練習用具。
（２）  （１）に記載のスキー練習用具であって、さらに、
（Ｃ）前記縦立構造部と前記水平構造部との間にこれらに連結して設けられ、前記スキー板または補助スキー板部の側方傾斜状態を調整するための側方傾斜調整部を備え、該側方傾斜調整部は、
（Ｃ−１）該水平構造部の水平維持を可能としつつ該縦立構造部を側方に傾斜させることのできるよう、該縦立構造部と該水平構造部の間のいずこかに、長手方向に伸縮可能な弾性部位が一または複数設けられている、
ことを特徴とする、スキー練習用具。
【００１２】
（３）  （１）または（２）に記載のスキー練習用具であって、
（Ｂ−２４）前記リンクは、前記ワイヤーが弛緩した状態では前記ブレーキ板が前記スキー板の下面より上方に位置するように、前記台座に、バネその他によって弾性的に支持されていることを特徴とする、スキー練習用具。
（４）  （１）ないし（３）のいずれかに記載のスキー練習用具であって、該スキー練習用具にはさらに、（Ｄ）前記スキー板部が備えられ、該スキー板部は、
（Ｄ−１）前記身体支持構造部のスキー板連結部に対して連結可能であることを特徴とする、スキー練習用具。
【発明の効果】
【００１３】
本発明のスキー練習用具は上述のように構成されるため、これによれば、より採用しやすい動作、簡単な操作によって、ターンの練習を一層容易かつ効果的に行うことができる。また、より安全な状態で滑走の制動を行うことができ、スキー練習の安全性、安心感を一層高めることができる。
【００１４】
初心者でも、約２、３時間程度で一定のスキーバランス感覚や方向変化の要領が理解できる、大幅な練習時間短縮、指導者の労力軽減、費用軽減できること、練習者は癖のない正しい基本姿勢を習得できること、盲目等の身体障害者であってもスキーを楽しむことができ、スキー人口の増加にも大いに寄与すること、構造が簡単で組み立て式化可能であり、運搬に便利なこと、さらに練習方法の自由度が大きいことといった各効果は、先の本願出願人提案によるスキー練習用具同様に備える。
【発明を実施するための最良の形態】
【００１５】
以下、本発明を図面により詳細に説明する。
図１は、本発明スキー練習用具の滑走制動部の構成を示す説明図であり、制動のなされない通常の状態を示す図である。また、
図１−２は、本発明スキー練習用具の滑走制動部の構成を示す説明図であり、制動がなされた状態を示す図である。また、
図１−３は、本発明スキー練習用具の滑走制動部以外の部分の構成を示す説明図である。
【００１６】
これらの図に示されるように、本スキー練習用具はまず、
（Ａ）これを用いてスキーの練習をする練習者の身体を直接支持するための身体支持構造部５２と、
（Ｂ）該身体支持構造部５２上から作動可能で、左右各スキー板の後端部において装着され、ターンの練習用途ならびに滑走制動用途に用いることのできる、後記制動ユニット１を中心とした滑走制動部とを備えてなる。
【００１７】
図１−３に示されるとおり該身体支持構造部５２は、
（Ａ−１）既存のスキー板または本用具に合わせて用いることのできるスキー板部（合わせて、以下「スキー板」）１０に連結するためのスキー板連結部（特に図示せず）と、
（Ａ−２）該スキー板連結部から上方に設けられ、後記水平構造部５２４を下方から支持する縦立構造部５２３と、
（Ａ−３）該縦立構造部５２３に支持されて設けられ、その少なくとも一部がグリップ部５２５として該練習者により把握されることのできる水平構造部５２４とを備えてなる。
【００１８】
図１、図１−３に示される通り該滑走制動部は、
（Ｂ−１）該練習者により操作され得るよう該グリップ部５２５に近接して設けられた制動操作レバー９と、
（Ｂ−２）該制動操作レバー９と後記ワイヤー５により連結され、滑走方向に対して抵抗を生ぜしめる制動ユニット１と、
（Ｂ−３）後記リンク３に取り付けられ、弛張させることによって該リンク３を回動させるためのワイヤー５とを備えてなる。
【００１９】
図１、図１−２に示される通り、さらに該制動ユニット１は、
（Ｂ−２１）前記スキー板１０に固定される台座２と、
（Ｂ−２２）該台２座に枢設され、先端部に雪面を噛むためのブレーキ板４を備えたリンク３を備えるとともに、
（Ｂ−２３）該リンク３は、該スキー板１０後端部後方雪面Ｓに対して該ブレーキ板４を振り下ろし可能に該台座２に設けられている構成を有する。該ブレーキ板４は、雪を噛みブレーキ機能を確実に奏することのできるものであれば、その形状、構造、材質等は特に限定されない。また、該台座２は、ネジ等の適宜の固定手段６によって、該スキー板１０に固定される。
【００２０】
かかる構成をとることにより、本発明スキー練習用具では、身体支持構造部５２によって練習者の身体が直接支持され、制動ユニット１を中心とした滑走制動部によってスキーの滑走速度およびターンの方向や大小の程度が調節される。
【００２１】
該身体支持構造部５２は、スキー板連結部によってスキー板１０に連結され、縦立構造部５２３によって水平構造部５２４が下方から支持され、グリップ部５２５において練習者により水平構造部５２４の把握がなされる。また、制動レバー９によって練習者によるブレーキ操作がなされ、ワイヤー５によって該制動操作レバー９と連結された制動ユニット１が作動して、該制動操作レバー９における操作の強さや選択に応じて、左右のスキー板１０の一方または両方に対して滑走方向に対する抵抗が生じ、ブレーキ作用、あるいはターン作用がなされる。
【００２２】
図１、図１−２により、さらに制動ユニットの作動を説明する。前記制動操作レバー９が把握されて操作されると（IXＢからIXＡへ）、左右の制動操作レバー９の把握操作の有無強弱の程度に応じて前記ワイヤー５の弛張がなされ、つまりこの場合は引っ張りがなされ（ＶＡ）、引っ張り程度に応じて、前記制動ユニット１のリンクがスキー板１０の前方へ向かって引っ張られ、該リンク３が軸部７を中心として回動して（IIIＡ）その先端部のブレーキ板４が下方に振り下ろされるように動き、該スキー板１０後端部後方雪面Ｓに対して該ブレーキ板４が振り下ろされて、雪を噛む。雪を噛む度合いに応じ、該スキー板１０にはブレーキ作用、あるいはターン作用が生じる。
【００２３】
また、前記制動操作レバー９における把握が緩められると（IXＡからIXＢへ）、左右の制動操作レバー９の把握操作の有無強弱の程度に応じて前記ワイヤー５は弛緩し（ＶＢ）、弛緩程度に応じて、前記制動ユニット１のリンクにおけるスキー板１０の前方への引っ張りが緩められ、該リンク３が逆方向に回動して（IIIＢ）その先端部のブレーキ板４の下方への回動が緩められ、該スキー板１０後端部後方雪面Ｓに対してなされている該ブレーキ板４の「雪の噛み」は緩められる。その度合いに応じ、該スキー板１０のブレーキ作用、あるいはターン作用は解除される。
【００２４】
したがって練習者は、該制動操作レバー９の把握操作を自身で加減することによって、該スキー板１０左右後端部における制動ユニット１の作動具合を調整するという簡単な操作方法によって、大小のターン技術を練習し、効果的に習得することができる。たとえば左の制動操作レバー９のみが軽く把握されれば左の制動ユニット１のみが作動し、右の制動ユニット１は作動しないため、左のスキー板１０にのみ制動作用が生じるため、左右双方のスキー板１０全体としては向きが左方へと変わり、その結果、左方へのターン動作が生じる。右の制動操作レバー９のみを操作した場合も、同様の作用によって、右方へのターン動作が生じる。
【００２５】
また、該制動操作レバー９一方に対する把握が強くあるいは速く行われた場合は、その方向へのスキー板１０の方向変更は急激になされるため、その方向への大きなターン動作がなされる。一方、該制動操作レバー９一方に対する把握が弱くあるいは遅く行われた場合は、その方向へのスキー板１０の方向変更はゆっくりとなされるため、その方向への小さなターン動作がなされる。
【００２６】
両方の制動操作レバー９の把握操作が、同じ強さで行われた場合は、双方のスキー板１０に同じ強さの抵抗がかかるため、ターン動作ではなく、全体としての減速、停止といったブレーキ動作が生じる。両制動操作レバー９の把握が強くあるいは急激に行われた場合に、急激なブレーキ動作が得られることはいうまでもない。
【００２７】
後述する側方傾斜調整部を用いることによっても、ターン技術の練習・習得を効果的に行えるが、以上説明した、スキー板後端部に設けた制動ユニットを中心とした滑走制動部を用いることによって、より一層簡単に、練習者が敢えて体を左右に傾斜させることも不要に手の把握操作のみによって、ターンの練習・習得を行うことができ、便利である。殊に、まったくのスキー初心者、身体障害者、高齢者等が、初めて練習する場合などに、極めて取り組みやすい練習方法を提供することができる。
【００２８】
図１−３に示すように本スキー練習用具は、上述の基本的構成に加えて、
（Ｃ）前記縦立構造部５２３と前記水平構造部５２４との間にこれらに連結して設けられ、前記スキー板１０の側方傾斜状態を調整するための側方傾斜調整部５４を備え、該側方傾斜調整部５４は、
（Ｃ−１）該水平構造部５２４の水平維持を可能としつつ該縦立構造部５２３を側方に傾斜させることのできるよう、該縦立構造部５２３と該水平構造部５２４の間のいずこかに、長手方向に伸縮可能な弾性部位５４８が一または複数設けられた構成を、備えることができる。
【００２９】
該弾性部位５４８としては、初期状態から伸縮いずれも可能なゴム材料、バネその他適宜の弾性材料を用いて構成することができる。つまり、左右に設けられる該側方傾斜調整部５４の一方においてこれが伸びているときに、該水平構造部５２４の水平が充分維持されるよう、他方では収縮可能である弾性材料であればよい。
【００３０】
かかる構成により本スキー練習用具では、側方傾斜調整部５４によって該スキー板１０の側方傾斜状態が調整される。つまり該側方傾斜調整部５４の作用により、スキー滑走におけるターンを可能とする、スキー板の滑走方向側方への傾斜状態が調整される。また、弾性部位５４８によって、該水平構造部５２４の水平維持を可能としつつ、該縦立構造部５２３を側方に傾斜させることが可能となる。
【００３１】
つまりスキー滑走では、左右二のスキー板１０がともに滑走面（雪面Ｓ）に接地している必要があり、その状態でスキー板１０が側方に傾斜することによってターンがなされる。該弾性部位５４８が設けられることにより、該水平構造部５２４は接地面（雪面Ｓ）との略平行ないしは水平状態を維持しながら、左右二の弾性部位５４８のうち傾斜方向の弾性部位５４８は収縮し、一方反対側の弾性部位５４８は伸びて、左右のスキー板１０の等しい傾斜がなされる。
【００３２】
かかる側方傾斜調整部５４のターン練習・習得支援機能は、上述の滑走制動部による同機能と比較すると、一段階進んだレベルでのターン練習・習得に適しているともいえる。すなわち、練習者が身体を左右に傾斜させること自体が困難・恐怖である場合などは、本発明の滑走制動部を利用したターン練習が効果的であり、それによってある程度慣れた段階で、あるいは身体の左右傾斜にさほどの困難や恐怖もないような状態では、該側方傾斜調整部５４によるターン練習・習得が一層効果的であるといえる。
【００３３】
本スキー練習用具では、このような段階的なターン練習支援を可能とするために、該滑走制動部および該側方傾斜調整部の双方の機能を備えることができる。そして、滑走制動部を用いるターン練習段階において、不用意に身体の側方傾斜がなされてしまわないように、該側方傾斜調整部５４には、前記弾性部位５４８の伸縮変化を起こさせず、用具の側方傾斜を起こさせないための伸縮固定手段（図示せず）を設けることもできる。
【００３４】
かかる構成により、一段階進んだターン練習のためにスキー板等を自在に傾斜させたい場合は、該弾性部位５４８の伸縮作用が機能するようにさせておき、一方ターン練習なしに滑走させたい場合や、上述の滑走制動部によるターン練習をしたい場合には、該伸縮固定手段による伸縮防止作用を機能させることが、自由自在にできる。
【００３５】
なお、該弾性部位５４８は一定の反力を有するため、急激な傾斜や過剰な傾斜の抑制作用も有し、練習者にとっての安全装置の一つとしても機能する。
【００３６】
図１−３に例示されるように、本スキー練習用具には、該身体支持構造部５２にさらに、滑走方向ガード部５２６を設けた構成とすることができる。これにより、練習者の脚部が滑走方向に流れることが防止される。
【００３７】
また、該身体支持構造部５２にはさらに、側方向ガード部５２７を設けた構成とすることができる。これにより、練習者の脚部が滑走側方方向に流れることが防止される。
【００３８】
図１、図１−２に示されるように、本発明スキー練習用具は、
（Ｂ−２４）前記リンク３は、前記ワイヤー５が弛緩した状態では前記ブレーキ板４が前記スキー板１０の下面より上方に位置するように、前記台座２に、バネその他の部材・手段（弾性部材８）によって弾性的に支持されている構成とすることができる。
【００３９】
かかる構成により、前記制動操作レバー９を把握操作しない通常の直線滑走等の場合は、該ブレーキ板４は雪面Ｓには接触せず、不要な制動やターン動作がなされず、必要な場合にのみそのような動作がなされ、そのような必要がなくなって該制動操作レバー９の把握が解除された場合はまた、元の雪面Ｓに接触しない状態に戻る。
【００４０】
本発明スキー練習用具は、別途用意されるスキー板１０に装着できるものとして、スキー板１０部分を除外した装着用具として構成することもできるが、本来的にスキー板１０自体も本用具の一要素として構成することも、もちろん可能である。つまり、前記スキー板として汎用的なものを用いることも、専用のものを用いてそれを含んでスキー練習用具とすることも、本発明では可能である。
【実施例】
【００４１】
以下、本発明の実施例を説明するが、本発明はかかる実施例に限定されるものではない。
＜実施例１＞
図２は、実施例１の制動ユニットの構成を示す斜視図である。また、
図３は、非作動状態における実施例１の制動ユニットの構成を示す略側面図である。また、
図４は、作動状態における実施例１の制動ユニットの構成を示す略側面図である。本例ではゴム製バンドを用いて弾性部位２８を簡便に構成している。
【００４２】
図３に示されるように、図示しない制動操作レバーを把握しない状態（元の状態）では、ワイヤー２５１、２５２がスキー板２１０の前方へ引かれておらず、リンク２３先端部のブレーキ板２４は雪面Ｓから離れており、ブレーキ動作、ターン動作は生じていない。
【００４３】
図４に示されるように、該制動操作レバーを把握した状態では、ワイヤー２５１、２５２がスキー板２１０の前方へ引かれており、リンク２３先端部のブレーキ板２４は雪面Ｓに対して振り下ろされており、ブレーキ動作、ターン動作が生じる。
【００４４】
図５は、実施例１のスキー練習用具全体の構成を示した写真図である。また、
図６は、実施例１の使用例を示す写真図である。これらに図示されるように、身体支持構造部５２０は、金属製パイプ等を用いて簡易に構成することが可能である。水平構造部には制動操作レバー３９が設けられ、ここでの把握操作の如何によって、スキー板後端部に設けられた制動ユニット３１のブレーキ板３４の作動がなされ、必要に応じて、ターン動作、ブレーキ動作を発生させることができる。
【産業上の利用可能性】
【００４５】
本発明のスキー練習用具は上述の各効果を有するため、スキー人口の増加に寄与でき、製造業、サービス業を含めて関連産業の振興が図られ、産業上利用価値が極めて高い発明である。
【図面の簡単な説明】
【００４６】
【図１】本発明スキー練習用具の滑走制動部の構成を示す説明図であり、制動のなされない通常の状態を示す図である。
【図１−２】本発明スキー練習用具の滑走制動部の構成を示す説明図であり、制動がなされた状態を示す図である。
【図１−３】本発明スキー練習用具の滑走制動部以外の部分の構成を示す説明図である。
【図２】実施例１の制動ユニットの構成を示す斜視図である。
【図３】非作動状態における実施例１の制動ユニットの構成を示す略側面図である。
【図４】作動状態における実施例１の制動ユニットの構成を示す略側面図である。
【図５】実施例１のスキー練習用具全体の構成を示した写真図である。
【図６】実施例１の使用例を示す写真図である。
【符号の説明】
【００４７】
１…制動ユニット（滑走制動部の主要要素）
２…台座
３…リンク
４…ブレーキ板
５…ワイヤー
６…固定手段
７…軸部
８…弾性部材
９…制動操作レバー
１０…スキー板
２１…制動ユニット
２２…台座
２３…リンク
２４…ブレーキ板
２５１、２５２…ワイヤー
２８…弾性部材
２１０…スキー板
３１…制動ユニット
３３…リンク
３４…ブレーキ板
３５…ワイヤー
３９…制動操作レバー
５２…身体支持構造部
５２３…縦立構造部
５２４…水平構造部
５２５…グリップ部
５２６…滑走方向ガード部
５２７…側方向ガード部
５４…側方傾斜調整部 
５４８…弾性部材
Ｓ…雪面
IIIＡ、IIIＢ…リンクの回動方向
ＶＡ、ＶＢ…ワイヤーの弛張方向
IXＡ、IXＢ…制動操作レバーの操作方向
【図１】
2006255073.tif 000003
【図１−２】
2006255073.tif 000004
【図１−３】
2006255073.tif 000005
【図２】
2006255073.tif 000006
【図３】
2006255073.tif 000007
【図４】
2006255073.tif 000008
【図５】
2006255073.tif 000009
【図６】
2006255073.tif 000010